(57)【要約】      （修正有）【課題】トナーカートリッジのトナー排出効率を向上させるトナーカートリッジ用の連動機構を提供する。【解決手段】連動機構１１は、ケース１１０、水平スライド部１２０、斜めスライド部１３０、カバー１４０及び伝動モジュール１５０を備える。ケース１１０は、トナーシリンダ、水平スライド部１２０、斜めスライド部１３０及びカバー１４０を配置するための収容空間を有する。水平スライド部１２０は、トナーカートリッジの取り付けや取り外しの際に水平スライドすることができ、且つケース１１０にスライド可能に接続され、且つ水平スライド部１２０が移動する場合、斜めスライド部１３０は上昇又は下降するように連動する。これにより、トナーシリンダからのトナーの排出が容易に動作される。【選択図】図２
0003229262.tif 000002
【実用新案登録請求の範囲】
【請求項１】
トナーシリンダを配置するための収容空間を有するケースと、
トナーカートリッジの取り付けや取り外しの際に水平スライドすることができ、且つ前記ケースにスライド可能に接続される水平スライド部と、
前記水平スライド部が移動する場合、上昇又は下降するように連動する斜めスライド部と、
を備えるトナーカートリッジ用の連動機構。
【請求項２】
前記斜めスライド部は、少なくとも1つの第１の嵌合構造を含み、
前記水平スライド部は、前記少なくとも1つの第１の嵌合構造にスライド可能に嵌合して接続される少なくとも1つの第２の嵌合構造を含む請求項１に記載のトナーカートリッジ用の連動機構。
【請求項３】
前記ケースは、
前記ケースに設けられる少なくとも1つの軌道を含む請求項１に記載のトナーカートリッジ用の連動機構。
【請求項４】
前記水平スライド部は、
前記少なくとも1つの軌道にスライド可能に設けられる少なくとも1つのスライド軌道部を含む請求項３に記載のトナーカートリッジ用の連動機構。
【請求項５】
前記トナーシリンダに接続されるための中空管部を有し、
また、前記カバーの外側の上方に設けられる軌道構造を含む
カバーを更に備える請求項１に記載のトナーカートリッジ用の連動機構。
【請求項６】
前記斜めスライド部は、
前記カバーの前記軌道構造にスライド可能に接続されるスライド構造を含む請求項５に記載のトナーカートリッジ用の連動機構。
【請求項７】
前記ケースの外側に設けられ、前記水平スライド部を水平スライドするように動作させるための伝動モジュールを更に備える請求項５に記載のトナーカートリッジ用の連動機構。
【請求項８】
前記水平スライド部は少なくとも1つの第１の押し付け柱を含み、前記伝動モジュールは少なくとも1つの第２の押し付け柱を含み、且つ前記少なくとも1つの第１の押し付け柱と前記少なくとも1つの第２の押し付け柱とが対応して設けられる請求項７に記載のトナーカートリッジ用の連動機構。
【請求項９】
前記伝動モジュールは軌道主体を含み、前記カバーのスライダが前記伝動モジュールの前記軌道主体に係合される請求項７に記載のトナーカートリッジ用の連動機構。
【請求項１０】
前記伝動モジュールは、前記少なくとも1つの伝動ロッドを垂直移動するように動作させるための前記斜めスライド部に接続される少なくとも1つの伝動ロッドを更に含む請求項７に記載のトナーカートリッジ用の連動機構。
【考案の詳細な説明】
【技術分野】
【０００１】
本考案は、連動機構に関し、特に、トナーカートリッジ用の連動機構に関する。
【背景技術】
【０００２】
近年、科学技術が急速に進歩するため、在宅或いは職場の何れにも、プリンタ、複写機、ファクシミリ装置等の電子撮像装置は、現代人の生活によく適用されている。更にいうと、電子撮像装置の内部に搭載される連動機構は、トナーの搬送という重要な役割を果たすので、接続機構も電子撮像装置の撮像效果に影響を与える主要因子の一つとなる。
【０００３】
具体的には、如何にトナーシリンダのトナー排出口を電子撮像装置のトナー吸込口に精確に対応させて、且つトナーシリンダにトナーを順調に排出させるかは、電子撮像装置の設計をより完備にする目標の一つである。
【考案の概要】
【考案が解決しようとする課題】
【０００４】
本考案は、水平スライド部と斜めスライド部との配置関係によってトナーシリンダのトナー排出効率を向上させる連動機構を提供する。
【課題を解決するための手段】
【０００５】
本考案の一実施形態によると、トナーシリンダを配置するための収容空間を有するケースと、トナーカートリッジの取り付けや取り外しの際に水平スライドすることができ、且つケースにスライド可能に接続される水平スライド部と、水平スライド部が移動する場合、上昇又は下降するように連動する斜めスライド部と、を備えるトナーカートリッジ用の連動機構を提供する。
【０００６】
前記した実施形態のトナーカートリッジ用の連動機構によると、斜めスライド部は、少なくとも1つの第１の嵌合構造を含んでよく、水平スライド部は、第１の嵌合構造にスライド可能に嵌合して接続される少なくとも1つの第２の嵌合構造を含んでよい。
【０００７】
前記した実施形態のトナーカートリッジ用の連動機構によると、ケースは、ケースに設けられる少なくとも1つの軌道を含んでよい。
【０００８】
前記した実施形態のトナーカートリッジ用の連動機構によると、水平スライド部は、軌道にスライド可能に設けられる少なくとも1つのスライド軌道部を含んでよい。
【０００９】
前記した実施形態のトナーカートリッジ用の連動機構によると、トナーシリンダに接続されるための中空管部を有し、また、カバーの外側の上方に設けられる軌道構造を含んでよいカバーを更に備えてよい。
【００１０】
前記した実施形態のトナーカートリッジ用の連動機構によると、斜めスライド部は、カバーの軌道構造にスライド可能に接続されるスライド構造を含んでよい。
【００１１】
前記した実施形態のトナーカートリッジ用の連動機構によると、ケースの外側に設けられ、水平スライド部を水平スライドするように動作させるための伝動モジュールを更に備えてよい。
【００１２】
前記した実施形態のトナーカートリッジ用の連動機構によると、水平スライド部は少なくとも1つの第１の押し付け柱を含んでよく、伝動モジュールは少なくとも1つの第２の押し付け柱を含んでよく、且つ第１の押し付け柱と第２の押し付け柱とが対応して設けられる。
【００１３】
前記した実施形態のトナーカートリッジ用の連動機構によると、伝動モジュールは軌道主体を含んでよく、カバーのスライダが伝動モジュールの軌道主体に係合される。
【００１４】
前記した実施形態のトナーカートリッジ用の連動機構によると、伝動モジュールは、伝動ロッドを垂直移動するように動作させるための斜めスライド部に接続される少なくとも1つの伝動ロッドを更に含んでよい。
【図面の簡単な説明】
【００１５】
【図１】本考案の一実施形態による連動機構がトナーカートリッジに適用される様子を示す模式図である。
【図２】図１の実施形態による連動機構を示す組合模式図である。
【図３】図１の実施形態による連動機構を示す部分分解図である。
【図４】図１の実施形態による伝動モジュールを示す分解図である。
【図５】図１の実施形態による水平スライド部と斜めスライド部を示す組合模式図である。
【図６】図１の実施形態による水平スライド部、斜めスライド部及びカバーを示す組合模式図である。
【図７】図１の実施形態によるケースと伝動モジュールを示す組合模式図である。
【図８】図１の実施形態によるケースと伝動モジュールを示す別の組合模式図である。
【図９】図１の実施形態によるスライダが軌道主体に係合される様子を示す模式図である。
【図１０】図１の実施形態による連動機構の作動を示す断面模式図である。
【図１１】図１の実施形態による連動機構の別の作動を示す断面模式図である。
【図１２】図１の実施形態による連動機構のまた一つの作動を示す断面模式図である。
【考案を実施するための形態】
【００１６】
図１及び図２を参照すると、図１は本考案の一実施形態による連動機構１１がトナーカートリッジ１０に適用される様子を示す模式図であり、図２は図１の実施形態による連動機構１１を示す部分分解図である。図１及び図２から分かるように、本考案に開示する連動機構１１は、トナーカートリッジ１０用の連動機構１１であり、トナーカートリッジ１０がトナーシリンダ１２及び連動機構１１を含み、トナーシリンダ１２はトナー（未図示）を収容することに用いられ、連動機構１１はトナーを排出させることに用いられる。
【００１７】
図３及び図４に合わせて参照すると、図３は図１の実施形態による連動機構１１を示す部分分解図であり、図４は図１の実施形態による連動機構１１を示す分解図である。図１〜図４から分かるように、連動機構１１は、ケース１１０、水平スライド部１２０、斜めスライド部１３０、カバー１４０及び伝動モジュール１５０を備える。更にいうと、図２と図３から分かるように、ケース１１０は、トナーシリンダ１２、水平スライド部１２０、斜めスライド部１３０及びカバー１４０を配置するための収容空間（未図示）を有する。水平スライド部１２０は、トナーカートリッジ１０の取り付けや取り外しの際に水平スライドすることができ、且つケース１１０にスライド可能に接続され、且つ水平スライド部１２０が移動する場合、斜めスライド部１３０は上昇又は下降するように連動する。これにより、トナーシリンダ１２からのトナーの排出が容易に動作される。
【００１８】
図１の実施形態による水平スライド部１２０と斜めスライド部１３０を示す組合模式図である図５に合わせて参照されたい。図２、図３及び図５から分かるように、斜めスライド部１３０は、少なくとも1つの第１の嵌合構造１３１を含み、水平スライド部１２０は、第１の嵌合構造１３１にスライド可能に嵌合して接続される少なくとも1つの第２の嵌合構造１２１を含む。これにより、水平スライド部１２０と斜めスライド部１３０とが容易に組み合わせられ、且つ互いに連動する場合に外れにくくなる。具体的には、図５の実施形態において、第１の嵌合構造１３１は３つであり、第２の嵌合構造１２１は３つであり、水平スライド部１２０と斜めスライド部１３０との組合に寄与するように、第１の嵌合構造１３１の数と位置が第２の嵌合構造１２１の数と位置に対応する。また、第１の嵌合構造１３１は係合端部の形態となり、且つ第２の嵌合構造１２１は軌道の形態となる。或いは、第１の嵌合構造１３１の形態と第２の嵌合構造１２１の形態とは互いに入れ替えられてもよいし、他の形態として設けられてもよいが、第１の嵌合構造１３１と第２の嵌合構造１２１の位置、数及び形態はこの開示に限定されない。
【００１９】
図２と図３から分かるように、ケース１１０は、ケース１１０に設けられる少なくとも1つの軌道１１１を含んでよいが、水平スライド部１２０は、ケース１１０の軌道１１１にスライド可能に設けられる少なくとも1つのスライド軌道部１２２を更に含んでよい。これにより、水平スライド部１２０のケース１１０に対する水平スライドの安定度を向上させることができる。具体的には、ケース１１０の軌道１１１は、別々にケース１１０の両側に設けられてよく、且つ２つあるが、スライド軌道部１２２は２つあり、スライド軌道部１２２の数と位置がケース１１０の軌道１１１の数と位置に対応するが、本考案はこれに限定されない。
【００２０】
これにより、水平スライド部１２０は、ケース１１０にスライド可能に接続されるため、トナーカートリッジ１０の取り付けや取り外しの際に水平スライドして、斜めスライド部１３０を上昇又は下降するように連動させることができる。また、前記実施形態における、ケース１１０の軌道１１１と水平スライド部１２０のスライド軌道部１２２との相対的な接続、及び第２の嵌合構造１２１と第１の嵌合構造１３１との嵌合接続に合わせると、トナーカートリッジ１０の取り付けや取り外しの際の、水平スライド部１２０と斜めスライド部１３０との作動の安定度を向上させることに寄与する。
【００２１】
また、図１の実施形態による水平スライド部１２０、斜めスライド部１３０及びカバー１４０を示す組合模式図である図６を参照されたい。図２、図３及び図６から分かるように、カバー１４０は、トナーシリンダ１２に接続されるための中空管部１４１を有してよい。なお、カバー１４０は、カバー１４０の外側の上方に設けられる軌道構造１４２を含んでよく、且つ斜めスライド部１３０は、カバー１４０の軌道構造１４２にスライド可能に接続されるスライド構造１３２を更に含んでよい。軌道構造１４２とスライド構造１３２とを相対的に設置して接続することによって、斜めスライド部１３０が水平スライド部１２０により動作される場合に、安定して軌道構造１４２に沿って斜めに上昇又は下降することに寄与する。図６の実施形態において、カバー１４０の軌道構造１４２は円弧軌道であってよく、斜めスライド部１３０のスライド構造１３２はカバー１４０の軌道構造１４２の円弧軌跡に沿って斜めにスライドすることができる（図１１に示す方向Ｂに合わせて参照されたい）。
【００２２】
また、カバー１４０は、水平スライド部１２０の開口（未図示）に貫設される円柱先端１４５を更に含んでよく、且つバネ１４４は、円柱先端１４５と開口との間に設けられる。具体的には、トナーカートリッジ１０が取り付けられる場合、バネ１４４は押し付けられる。トナーカートリッジ１０が取り外される場合、バネ１４４はその形状に復帰し、水平スライド部１２０のその位置への回復に寄与する。
【００２３】
図２と図４から分かるように、伝動モジュール１５０は、ケース１１０の外側に設けられ、水平スライド部１２０を水平スライドするように動作させることに用いられる。詳しくは、水平スライド部１２０は少なくとも1つの第１の押し付け柱１２３を更に含んでよく、伝動モジュール１５０は少なくとも1つの第２の押し付け柱１５１を含んでよく、第１の押し付け柱１２３と第２の押し付け柱１５１とが対応して設けられ、且つ第１の押し付け柱１２３がケース１１０に貫設される。そのため、伝動モジュール１５０は、第２の押し付け柱１５１によって水平スライド部１２０の第１の押し付け柱１２３を押し付けて、水平スライド部１２０を水平の方向においてスライドするように動作させることができる。具体的には、図２の実施形態において、第１の押し付け柱１２３は２つあり、第２の押し付け柱１５１は２つあり、第１の押し付け柱１２３の位置及び数が第２の押し付け柱１５１の位置及び数に対応するが、第１の押し付け柱１２３と第２の押し付け柱１５１の位置及び数はこの開示に限定されない。
【００２４】
図７〜図８を参照すると、図７は、図１の実施形態によるケース１１０と伝動モジュール１５０を示す組合模式図であり、図８は、図１の実施形態によるケース１１０と伝動モジュール１５０を示す別の組合模式図である。図７と図８から分かるように、カバー１４０が水平スライド部１２０と斜めスライド部１３０と共にケース１１０内に水平に設けられた後で、ケース１１０は、また、水平スライド部１２０、斜めスライド部１３０及びカバー１４０と共に伝動モジュール１５０に水平に設けられる。
【００２５】
図４から分かるように、伝動モジュール１５０は、軌道主体１５２、少なくとも1つの伝動ロッド１５３、トナー排出口連通路１５４及び2つのバルブ１５５を更に含んでよい。具体的には、図１の実施形態において、伝動ロッド１５３は、２つあり、且つトナー排出口連通路１５４の両側に設けられるが、本考案はこれに限定されない。
【００２６】
また、図１の実施形態によるスライダ１４３が軌道主体１５２に係合される様子を示す模式図である図９に合わせて参照されたい。図９から分かるように、カバー１４０のスライダ１４３が伝動モジュール１５０の軌道主体１５２に係合され、且つスライダ１４３のトナー排出口（未図示）が伝動モジュール１５０のトナー排出口連通路１５４に対応する。詳しくは、カバー１４０が水平スライド部１２０につれて水平スライドする場合、スライダ１４３は、カバー１４０につれて水平スライドしない。そのため、スライダ１４３のトナー排出口と伝動モジュール１５０のトナー排出口連通路１５４との間の相対的な位置を固定させることができる。
【００２７】
まず、図１の実施形態による連動機構１１の作動を示す断面模式図である図１０を参照されたい。図１０から分かるように、ケース１１０が水平スライド部１２０、斜めスライド部１３０及びカバー１４０と共に方向Ａに沿って伝動モジュール１５０に水平に設けられた後で、カバー１４０のスライダ１４３が伝動モジュール１５０の軌道主体１５２に固定される。
【００２８】
次に、図１の実施形態による連動機構１１の別の作動を示す断面模式図である図１１を参照されたい。図１１に示すように、ケース１１０が水平スライド部１２０、斜めスライド部１３０及びカバー１４０を方向Ａに沿って水平移動するように動作させて、水平スライド部１２０の第１の堆抵柱１２３と伝動モジュール１５０の第２の押し付け柱１５１とを互いに当接させる場合、伝動モジュール１５０のバルブ１５５はそれに伴って開放する。伝動モジュール１５０のバルブ１５５が開放した後で、伝動ロッド１５３とトナー排出口連通路１５４は、バルブ１５５を通過して方向Ｃに沿って移動することができる。
【００２９】
次に、図１の実施形態による連動機構１１のまた一つの作動を示す断面模式図である図１２を参照されたい。図１２に示すように、水平スライド部１２０の第１の押し付け柱１２３が更に伝動モジュール１５０の第２の押し付け柱１５１により押し付けられた後で、斜めスライド部１３０がカバー１４０の軌道構造１４２に沿ってスライドし、斜めスライド部１３０は、伝動ロッド１５３とトナー排出口連通路１５４を垂直移動させるように動作させることに用いられ、且つ伝動ロッド１５３とトナー排出口連通路１５４との何れも方向Ｃに沿って移動することができる。伝動モジュール１５０の伝動ロッド１５３が続いて斜めスライド部１３０に接続され、且つトナー排出口連通路１５４がスライダ１４３のトナー排出口に接続される。具体的には、図１０〜図１２の実施形態において、伝動モジュール１５０の伝動ロッド１５３は、各々バンプ１５６を有し、斜めスライド部１３０の両側に別々にフック構造１３３を有し、伝動ロッド１５３と斜めスライド部１３０がバンプ１５６によってフック構造１３３と互いに接続し、斜めスライド部１３０のフック構造１３３が伝動ロッド１５３のバンプ１５６に掛けられる場合、安定的な接続效果を達成することができるが、接続形態はこれに限定されない。
【００３０】
図１２から分かるように、伝動ロッド１５３と斜めスライド部１３０との接続によってトナー排出口連通路１５４をカバー１４０のスライダ１４３のトナー排出口に対応するように動作させることで、トナーカートリッジ１０にトナーを順調に排出させるという效果を達成することができる。
【００３１】
本考案は、実施例で前述の通りに開示されたが、それらに限定されなく、当業者であれば、本考案の精神と範囲から逸脱しない限り、多様の変更や修飾を加えてもよく、従って、本考案の保護範囲は、後の実用新案登録請求の範囲で指定した内容を基準とするものである。
【符号の説明】
【００３２】
１０  トナーカートリッジ
１１  連動機構
１２  トナーシリンダ
１１０  ケース
１１１  軌道
１２０  水平スライド部
１２１  第２の嵌合構造
１２２  スライド軌道部
１２３  第１の押し付け柱
１３０  斜めスライド部
１３１  第１の嵌合構造
１３２  スライド構造
１３３  フック構造
１４０  カバー
１４１  中空管部
１４２  軌道構造
１４３  スライダ
１４４  バネ
１４５  円柱先端
１５０  伝動モジュール
１５１  第２の押し付け柱
１５２  軌道主体
１５３  伝動ロッド
１５４  トナー排出口連通路
１５５、１５６  バンプ
Ａ、Ｂ、Ｃ  方向
【図１】
0003229262.tif 000003
【図２】
0003229262.tif 000004
【図３】
0003229262.tif 000005
【図４】
0003229262.tif 000006
【図５】
0003229262.tif 000007
【図６】
0003229262.tif 000008
【図７】
0003229262.tif 000009
【図８】
0003229262.tif 000010
【図９】
0003229262.tif 000011
【図１０】
0003229262.tif 000012
【図１１】
0003229262.tif 000013
【図１２】
0003229262.tif 000014
【手続補正書】
【提出日】令和2年9月2日(2020.9.2)
【手続補正１】
【補正対象書類名】実用新案登録請求の範囲
【補正対象項目名】全文
【補正方法】変更
【補正の内容】
【実用新案登録請求の範囲】
【請求項１】
トナーシリンダを配置するための収容空間を有するケースと、
トナーカートリッジの取り付けや取り外しの際に水平スライドすることができ、且つ前記ケースにスライド可能に接続される水平スライド部と、
前記水平スライド部が移動する場合、上昇又は下降するように連動する斜めスライド部と、
を備えるトナーカートリッジ用の連動機構。
【請求項２】
前記斜めスライド部は、少なくとも1つの第１の嵌合構造を含み、
前記水平スライド部は、前記少なくとも1つの第１の嵌合構造にスライド可能に嵌合して接続される少なくとも1つの第２の嵌合構造を含む請求項１に記載のトナーカートリッジ用の連動機構。
【請求項３】
前記ケースは、
前記ケースに設けられる少なくとも1つの軌道を含む請求項１に記載のトナーカートリッジ用の連動機構。
【請求項４】
前記水平スライド部は、
前記少なくとも1つの軌道にスライド可能に設けられる少なくとも1つのスライド軌道部を含む請求項３に記載のトナーカートリッジ用の連動機構。
【請求項５】
前記トナーシリンダに接続されるための中空管部を有するカバーを更に備え、
また、前記カバーの外側の上方に設けられる軌道構造を含む
請求項１に記載のトナーカートリッジ用の連動機構。
【請求項６】
前記斜めスライド部は、
前記カバーの前記軌道構造にスライド可能に接続されるスライド構造を含む請求項５に記載のトナーカートリッジ用の連動機構。
【請求項７】
前記ケースの外側に設けられ、前記水平スライド部を水平スライドするように動作させるための伝動モジュールを更に備える請求項５に記載のトナーカートリッジ用の連動機構。
【請求項８】
前記水平スライド部は少なくとも1つの第１の押し付け柱を含み、前記伝動モジュールは少なくとも1つの第２の押し付け柱を含み、且つ前記少なくとも1つの第１の押し付け柱と前記少なくとも1つの第２の押し付け柱とが対応して設けられる請求項７に記載のトナーカートリッジ用の連動機構。
【請求項９】
前記伝動モジュールは軌道主体を含み、前記カバーのスライダが前記伝動モジュールの前記軌道主体に係合される請求項７に記載のトナーカートリッジ用の連動機構。
【請求項１０】
前記伝動モジュールは、前記少なくとも1つの伝動ロッドを垂直移動するように動作させるための前記斜めスライド部に接続される少なくとも1つの伝動ロッドを更に含む請求項７に記載のトナーカートリッジ用の連動機構。